(57)【要約】      （修正有）【課題】害虫が効率よく捕獲でき、運転時の消費電力も少ない害虫捕獲器を提供する。【解決手段】筐体１の内部上方に設けられた上部通路１ｇと、筐体の内部両側に設けられた側部通路１ｎと、光源４の下方に設置されたホッパ６の最下部に一端が接続された筒状ケース１０ａと、筒状ケースの一端側に設置され、かつ光源に誘引された害虫を筒状ケース内に吸引する吸引手段７と、吸引手段により吸入された空気の風圧により開閉されるシャッタ板を有するシャッタ手段と、吸引手段より排出された空気中より害虫を捕獲する通気性を有する捕虫袋１１と、捕虫袋を通過した空気を、吸引手段の送風力により側部通路及び上部通路を経て光源の周辺へ循環させる空気循環経路とからなり、捕虫袋を通過した空気を、筐体の内部両側に設けられた２路の側部通路に分流して筐体の上部へ循環させるようにしたことから、送風能力の小さい送風手段でも、空気の循環が効率よく行える。【選択図】図５
0003141997.tif 000002
【実用新案登録請求の範囲】
【請求項１】
開口部及びその近傍の内部に害虫を誘引する光源が設けられた筐体と、前記筐体の内部上方に設けられた上部通路と、前記筐体の内部両側に設けられた側部通路と、前記光源の下方に設置されたホッパと、前記ホッパの最下部に一端が接続された筒状ケースと、前記筒状ケースの一端側に設置され、かつ前記光源に誘引された害虫を、前記開口部より吸入された空気とともに前記筒状ケース内に吸引する吸引手段と、前記吸引手段により吸入された空気の風圧により開放され、かつ前記吸引手段の停止とともに閉鎖されるシャッタ板が前記筒状ケース内に設けられたシャッタ手段と、前記筒状ケースの他端側に着脱自在に取り付けられ、かつ前記吸引手段より排出された空気中より害虫を捕獲する通気性を有する捕虫袋と、前記捕虫袋を通過した空気流を、前記吸引手段の送風力により前記側部通路及び前記上部通路を経て前記光源の周辺へ循環させる空気循環経路とを具備したことを特徴とする害虫捕獲器。
【請求項２】
前記捕虫袋を通過した空気を前記筐体内の上方向へ方向変換させる下部ガイド面と、前記下部ガイド面により方向変換された空気を前記ホッパの傾斜面を利用して前記側部通路へ案内する中間ガイド面と、前記側部通路を通過した空気流を前記上部通路へ方向変換させる上部ガイド面とを前記空気循環経路に設けてなる請求項１に記載の害虫捕獲器。
【請求項３】
前記上部通路のほぼ中間部に、前記上部通路の両端側から流入した空気を前記光源側へ方向変換させる第１邪魔板を、また前記上部通路の両端側に、前記上部通路の両側部に流入した空気を前記光源側へ方向変換させる第２邪魔板を設けてなる請求項１または２に記載の害虫捕獲器。
【請求項４】
前記開口部を筐体の前後面にそれぞれ設け、かつ前記筐体を取り付ける場所に応じて前記開口部の一方を着脱自在な蓋体により閉鎖可能にしてなる請求項１ないし３の何れかに記載の害虫捕獲器。
【考案の詳細な説明】
【技術分野】
【０００１】
本考案は光源に害虫を誘引して、吸引手段により効率よく捕獲する害虫捕獲器に関する。
【背景技術】
【０００２】
蝿や蚊、蛾、羽アリ等の害虫は不快害虫として嫌われており、これら害虫が例えば食品加工所や飲食店、工場、量販店、コンビニ等の施設に侵入すると不衛生なばかりか、製品等に混入した場合、返品や不良品の原因となると共に、食品加工所等の場合は、たとえ１個の製品に害虫が混入しても、同じロットで生産した製品の全てを回収する事態が生じ、経済的に大きな損失となる問題がある。
このためこれらの施設では、建屋を密閉して外部から屋内へ害虫が侵入するのを防止する等の対策を講じているが、光に集まる習性のある害虫の場合、建屋を密閉構造にしても、僅かな隙間から光に誘引されて屋内へ侵入することがあり、また建屋へ人が出入りする際、人に付着して屋内へ侵入することがよくある。
また屋内に一旦侵入した害虫は、殺虫剤等を使用して駆除することになるが、食品加工場や飲食店、コンビニ等のように主に食品を扱う施設では、殺虫剤を使用して害虫を駆除することはできない問題がある。
【０００３】
一方光源に害虫を誘引し、ファンのような吸引手段で吸引して捕獲する害虫捕獲器が例えば特許文献１や特許文献２等で提案されている。
前記特許文献１に記載の捕虫機能付照明装置は、建屋の外に設置した外灯や玄関灯、庭園灯等の光源に集まる害虫を回転ファンで捕集袋内へ吸引して、害虫を捕獲するようにしたもので、屋外照明器具としての機能を損なうことなく、光に集まる害虫を捕獲できる等の効果を有している。
【０００４】
また前記特許文献２に記載の吸引式捕虫機は、誘引ランプで誘引した害虫を、吸引装置により吸引して捕虫用金網内にセットした捕虫ネット内に捕獲するようにしたもので、誘引した害虫を吸引装置を介して捕虫ネットに吸引しやすくするため、吸引装置より吐出された空気をコンプレッサにより送風して、強制的に捕虫ネットへ導くよう空気を循環利用する構成となっている。
【特許文献１】特開２００１−１５５５０９号公報
【特許文献２】特開平１１−１２７７５２号公報
【考案の開示】
【考案が解決しようとする課題】
【０００５】
しかし前記特許文献１に記載の捕虫機能付照明器具や、前記特許文献２に記載の吸引式捕虫機では、次のような問題がある。
すなわち前記特許文献１に記載の捕虫機能付照明器具では、回転ファンにより捕集袋内に吸引した害虫が捕集袋内にある程度溜ったら、回転ファンを停止した後ケーシングより捕集袋を取り外して廃棄等の処理を行うが、害虫が捕獲された捕集袋内を通過した空気を排気口よりケーシングの外へ排出する構造となっている。
このため前記特許文献１のように屋外へ設置した照明器具の場合は、捕集袋内を通過した空気を排気口よりケーシングの外へ排出しても問題は少ないが、害虫が捕獲された捕集袋内を通過した空気には害虫に寄生したダニや雑菌が含まれていたり、蛾等の害虫が含まれていると、剥がれ落ちた鱗粉等が空気中に混入していたりするため、主に食品を取り扱う施設には採用できなかったり、アレルギー等の持病がある利用者には敬遠される等の問題がある。
【０００６】
一方前記特許文献２に記載の吸引式捕虫機では、吸引装置より吐出された空気をさらにコンプレッサにより送風して、強制的に捕虫ネットへ循環させるようにしたことから、捕虫ネットを通過した空気がケース外へ排出されることがないため前記引用文献１のような問題は生じないが、吸引装置と別にコンプレッサを設けた複雑な構造のためコスト高となると共に、吸引装置とコンプレッサにそれぞれ動力源を必要とすることから、長時間運転した場合に電気代が嵩むため不経済である等の問題もある。
本考案はかかる問題を改善するためになされたもので、害虫が効率よく捕獲でき、しかも運転時の消費電力も少ない害虫捕獲器を簡単な構成で安価に提供することを目的とするものである。
【課題を解決するための手段】
【０００７】
本考案の害虫捕獲器は、開口部及びその近傍の内部に害虫を誘引する光源が設けられた筐体と、筐体の内部上方に設けられた上部通路と、筐体の内部両側に設けられた側部通路と、光源の下方に設置されたホッパと、ホッパの最下部に一端が接続された筒状ケースと、筒状ケースの一端側に設置され、かつ光源に誘引された害虫を、開口部より吸入された空気とともに筒状ケース内に吸引する吸引手段と、吸引手段により吸入された空気の風圧により開放され、かつ吸引手段の停止とともに閉鎖されるシャッタ板が筒状ケース内に設けられたシャッタ手段と、筒状ケースの他端側に着脱自在に取り付けられ、かつ吸引手段より排出された空気中より害虫を捕獲する通気性を有する捕虫袋と、捕虫袋を通過した空気を、吸引手段の送風力により側部通路及び上部通路を経て光源の周辺へ循環させる空気循環経路とから構成したものである。
【０００８】
前記構成により、吸引手段により空気とともに筐体内に吸入された害虫は、筒状ケース内を通って捕虫袋内へと排出されて捕獲されるため、光源に誘引された害虫を効率よく捕獲することができると共に、捕集袋内を通過した空気中に害虫に寄生したダニや雑菌が含まれていたり、蛾等の害虫から剥がれ落ちた鱗粉等が混入していても、捕虫袋内を通過した空気が筐体外へ排出されることがないため、主に食品を取り扱う施設に採用することができる上、アレルギー等の持病がある利用者であっても安心して使用することができる。
また捕虫袋を通過した空気を、筐体の内部両側に設けられた２路の側部通路に分流して筐体の上部へ循環させるようにしたことから、送風能力の小さい送風手段でも、空気の循環が効率よく行えるようになり、これによってより少ない消費電力で害虫捕獲器の連続運転が可能となるため、ランニングコストの低減が図れる上、構成が簡単なため安価に提供することができる。
さらに捕獲された害虫を廃棄処理する場合は、光吸引手段をオフにすることにより、いままで開放状態にあったシャッタにより筒状ケースの上面開口が閉鎖されるため、吸引手段が吸引力を失っても吸引手段側へ害虫が逃げ出すのをシャッタにより阻止することができ、これによって捕虫袋内に捕獲した害虫うち生存している害虫がいても、捕虫袋内より逃げ出すのを確実に防止することができる。
【０００９】
本考案の害虫捕獲器は、捕虫袋を通過した空気を筐体内の上方向へ方向変換させる下部ガイド面と、下部ガイド面により方向変換された空気をホッパの傾斜面を利用して側部通路へ案内する中間ガイド面と、側部通路を通過した空気流を上部通路へ方向変換させる上部ガイド面とを空気循環経路に設けたものである。
【００１０】
前記構成により、捕集袋内を通過した空気は、中間ガイド面により増速されながら空気循環経路を循環されるため、空気の循環が円滑に行えると共に、空気流に脈動が生じることがないため、流路抵抗の軽減も図れるようになる。
【００１１】
本考案の害虫捕獲器は、上部通路のほぼ中間部に、上部通路の両端側から流入した空気を光源側へ方向変換させる第１邪魔板を、また上部通路の両端側に、上部通路の両側部に流入した空気を光源側へ方向変換させる第２邪魔板を設けたものである。
【００１２】
前記構成により、上部通路からほぼ均一に光源の周辺へ空気が流入されて、光源の周辺で空気流のムラが発生することがないため、光源に誘引された害虫を逃がすことなく吸引することができるようになる。
【００１３】
本考案の害虫捕獲器は、開口部を筐体の前後面にそれぞれ設け、かつ筐体を取り付ける場所に応じて開口部の一方を着脱自在な蓋体により閉鎖可能にしたものである。
【００１４】
前記構成により、筐体を壁面等に取り付けて使用する場合、壁面の一部が開口部より筐体内に露出することがないため、空気とともに吸入された害虫や塵埃等により壁面が汚損されることがない上、他方の開口部より集中的に外気とともに害虫を吸入することができるため、開口部が片側のみになっても害虫の捕獲効果が低下することがない。
【考案の効果】
【００１５】
本考案の害虫捕獲器によれば、捕集袋内を通過した空気中に害虫に寄生したダニや雑菌が含まれていたり、蛾等の害虫から剥がれ落ちた鱗粉等が混入していても、捕虫袋内を通過した空気が筐体外へ排出されることがないため、主に食品を取り扱う施設に採用することができる上、アレルギー等の持病がある利用者であっても安心して使用することができる。
また捕虫袋を通過した空気を、筐体の内部両側に設けられた２路の側部通路に分流して筐体の上部へ循環させるようにしたことから、送風能力の小さい送風手段でも、空気の循環が効率よく行えるようになり、これによってより少ない消費電力で害虫捕獲器の連続運転が可能となるため、ランニングコストの低減が図れるようになる。
【考案を実施するための最良の形態】
【００１６】
本考案の実施の形態を、図面を参照して詳述する。
図１は害虫捕獲器の正面側の斜視図、図２は同一部切欠斜視図、図３は図２のＡ−Ａ線に沿う断面図、図４及び図５は空気の循環経路を示す作用説明図である。
図１に示す害虫捕獲器は、縦方向に長く、かつ前後に扁平な長方体状の筺体１を有していて、筺体１の前面板１ａと後面板１ｂの上部に、外気とともに害虫を筐体１内に吸入する長方形状の開口部１ｃ，１ｄが開口されており、害虫捕獲器を壁面等に取り付けて使用する場合は、後面板１ｂに開口された開口部１ｄに、予め用意された蓋体１５を取り付けることにより、開口部１ｄが閉鎖できるようになっている。
筐体１ａの上部側の角部は斜めに傾斜されていて、これら傾斜面の内面が上部ガイド面１ｅとなっており、筐体１ａの内側上部には、断面がコ字形に形成された光源取り付け部材２が、開口面を下向きにしてほぼ水平に設置されている。
【００１７】
光源取り付け部材２の上面には、長手方向に間隔を存して設けられた複数個所、例えば３個所にソケット取り付け部２ａが形成されていて、これらソケット取り付け部２ａの下面にソケット３がそれぞれ取り付けられており、ソケット取り付け部２ａの間には空気流入口２ｂが開口されていると共に、各ソケット３には、光源４が着脱自在に取り付けられている。
光源取り付け部材２の上面と筐体１ａの上面板１ｆとの間には、上部通路１ｇが水平方向に形成されていて、上部ガイド面１ｅにより方向変換された空気流が両端側より上部通路１ｇ内へ流入されるようになっている。
上部通路１ｇのほぼ中間部には、上部通路１ｇ内へ流入された空気を、空気流入口２ｂより光源取り付け部材２の下方へ案内する第１邪魔板１ｈが縦方向に設けられており、光源取り付け部材２の両端側には、光源取り付け部材２の両側より流入された空気を、前後面板１ｂ，１ｃと光源取り付け部材２との間の隙間１ｊより光源取り付け部材２の下方へ流入させる第２邪魔板１ｉが縦方向に設けられている。
【００１８】
筐体１ａ内の上部には、両側板１ｋと平行するように縦仕切り板１ｍが設けられていて、これら縦仕切り板１ｍと筐体１の両側板１ｋとの間に側部通路１ｎが形成されており、各縦仕切り板１ｍの上端部間に光源取り付け部材２の両端部が固着されている。
ソケット３に取り付けられた光源４は、害虫が好む波長、例えば３００〜４００ｎｍに光波長成分のピークを持つ誘引光を放射する複数の蛍光管４ｂをＵ字状に屈曲させ、かつ蛍光管４ｂの両端側に口金４ａを設けたもので、害虫の誘引効果を高めるため、蛍光管４ｂ部分の長さが通常の蛍光灯より長い特殊ランプが使用されており、筐体１の前後面に開口された開口部１ｃ，１ｄより見える位置に縦方向に設置されている。
【００１９】
また長期間光源４を点灯したため、誘引効果が低下したり光源としての寿命に達した場合は、開口部１ｃ，１ｄより簡単に交換できるようになっており、開口部１ｃ，１ｄには、光源４に触れたり、光源４を破損し、もしくは筐体１内に異物が侵入するのを防止するため、線状材よりなる格子５が着脱自在に取り付けられている。
【００２０】
一方筺体１内のほぼ中間部には、光源２の下方を覆うようにしてホッパ６が形成されている。
ホッパ６は図５に示すように、筺体１の両側がわが高く、中央部側が傾く傾斜する傾斜面６ａと、中央部に形成された平坦面６ｂとからなり、傾斜面６ａの上部は縦仕切り板１ｍの下端に連設されており、傾斜面６ａの下面が後述する捕虫袋１１を通過した空気を側部通路１ｎの下端側へ案内する中間ガイド面１ｐとなっている。
ホッパ６の平坦面６ｂの中央には、吸引手段７のケーシング７ａの内径とほぼ等しい円孔よりなる吸込み口６ｃが開口されており、ホッパ６の各傾斜面６ａの上方には、一対の整流板６ｄがほぼ逆ハ字形に設けられている。
【００２１】
整流板６ｄは、図５に示すように傾斜面６ａより傾斜角度が大きくなっていて、傾斜面６ａの高位置側と整流板６ｄの上端側との間隔が広く、かつ傾斜面６ａの低位置側、すなわち吸入手段７側と整流板６ｄの下端側の間隔が狭くなるように両者間の間隔が設定されており、これによって吸引手段７の吸引開始とともに、筐体１の開口部１ｃ，１ｄより吸入された空気の流れを整流して、光源４の周辺の空気をほぼ均一に吸引できるようになっている。
吸引手段７は電動ファンより構成されていて、図２及び図３に示すように筒状のケーシング７ａを有しており、このケーシング７ａの上部がホッパ６の平坦面６ｂの下面にビス等の固着具８で固着されている。
ケーシング７ａの中心部には、電動モータ７ｂが設置されていて、ケーシング７ａの内周と電動モータ７ｂの外周面との間に、電動モータ７ｂにより回転されるファン７ｃが設けられている。
【００２２】
またケーシング４ａの下端側に、シャッタ手段１０が接続されている。
シャッタ手段１０は筒状ケース１０ａと、筒状ケース１０ａ内に設けられたシャッタ板１０ｂとからなり、筒状ケース１０ａの上端部が吸引手段７のケーシング７ａ下面に接続されている。
シャッタ手段１０のシャッタ板１０ｂは、図３に示すように筒状ケース１０ａの内径よりやや小径な円板よりなり、全体がプラスチックのような軽量な材料により薄板状により形成されていて、中心より偏心した位置に回転軸１０ｃが面方向に固着されている。
回転軸１０ｃは、水平となるよう両端が筒状ケース１０ａに支承されていて、回転軸１０ｃを中心にシャッタ板１０ｂが回動自在となっており、回転軸１０ｃの両端側には、シャッタ板１０ｂの外周縁が筒状ケース１０ａの内周面に接触しないように両者の間に微小な隙間を形成する球状のスペーサ（図示せず）が嵌装されている。
【００２３】
またシャッタ板１０ｂには、偏心側にバランサ１０ｅが設けられている。
バランサ１０ｅは、回転軸１０ｃにより偏心位置が支持されたシャッタ板１０ｂを水平位置に復帰させるもので、吸引手段７が停止されて筒状ケース１０ａ内が無風となったときにシャッタ板１０ｂが自動的に水平位置に復帰できるようになっており、筒状ケース１０ａの内周面には、シャッタ板１０ｂを水平位置に停止させるストッパ１０ｆが突設されている。
【００２４】
シャッタ手段１０の筒状ケース１０ａには、下部外周に係止部１０ｇが突設されていて、この係止部１０ｇに補虫袋１１の開口部１１ａが係止されている。
係止部１０ｇは、図２に示すように筒状ケース１０ａの外周面に突設された突条、または図示しない凹溝等からなり、補虫袋１１の開口部１１ａに予め挿通された輪ゴム等の係止手段１２により開口部１１ａを係止することにより、吸引手段７より補虫袋１１内に風圧を受けても補虫袋１１が脱落しないようになっている。
補虫袋１１は、小さな害虫が通り抜けられないような目の細い網体や不織布等の通気性を有する素材により袋状に形成されていて、捕獲した害虫とともに廃棄処分できるようになっている。
捕虫網１１は、底部が筐体１ａの底板１ｑと接触しないように開口部１１ａが筒状ケース１０ａの下部に取り付けられており、底板１ｑの両端部は、端部が高くなるよう傾斜されていて、これら傾斜面が捕虫袋１１を通過した空気を側部通路１ｎの下端側へ案内する下部ガイド面１ｒとなっている。
【００２５】
筐体１ａの前面板１ｂには、開口部１ｄの下方に捕虫袋交換口１ｘが開口されていて、この捕虫袋交換口１ｘには、捕虫袋１１を脱着する際開閉する扉１３が設けられている。
扉１３は一端側がヒンジ１３ａにより筐体１ａの前面に枢着されていて、扉１３の他端側に設けられた把手１３ｂを手前へ引くことにより、ヒンジ１３ａを中心に扉１３が開閉できるようになっており、扉１３の開放側と筐体１ａの内側には、扉１３を閉位置にロックするキャッチ１４が設けられている。
【００２６】
次に前記構成された害虫捕獲器の作用を説明すると、害虫捕獲器の設置場所としては、一般家庭の室内や食品加工場や工場、飲食店、コンビニ等、食品や製品に害虫が混入しては困る場所、人に不快感を与えては困る場所等が適しているが、設置する場所に特に制限はなく、屋外やビニールハウス等の施設に設置しても勿論よい。
また害虫捕獲器を屋内に設置するに当たっては、天井に設置された照明器具に集まる害虫が効率よく捕獲できるように、筐体１の上部に設けた光源２が天井付近となるように筐体１ａを壁面に当接させて、図示しない固着具により筐体１を壁面に取り付けるか、筐体１の上部に設けられた吊り孔１ｙに丈夫な紐状物（図示せず）を挿通して、紐状物により筐体１を天井等から吊り下げる。
なお壁面に筐体１を取り付けて使用する場合は、後面板１ｂの開口部１ｄが不要となるので、蓋体１５により開口部１ｄを閉鎖する。
【００２７】
筐体１の取り付けが完了したら、筐体１の前面に設けられた扉１３を開放して、予め用意した捕虫袋１１の開口部１１ａを筒状ケース１０ａの下端側外周に嵌装し、開口部１１ａを輪ゴム等の係止手段１２で筒状ケース１０ａの外周面に突設された係止突条１０ｆに係止して、風圧が捕虫袋１１の内側から下方向へ作用しても捕虫袋１０がずれ落ちるのを防止する。
【００２８】
筒状ケース１０ａに捕虫袋１１を装着して扉１３を閉鎖したら、筐体１または電源コードの途中に設けた電源スイッチ（何れも図示せず）をオンにする。
これによって光源４が点灯され、同時に吸引手段７の電動モータ７ｂによりファン７ｃが回転されて送風が開始される。
吸引手段７による送風が開始されると、光源４周辺の空気が筒状ケース１０ａ内へ吸引されるため、天井付近の外気が開口部１ｃ，１ｄより筐体１内へ吸入される。
開口部１ｃ，１ｄより筐体１内へ吸入された空気は、ホッパ６に設けられた整流板６ｄの整流作用により増速されて吸引手段７へと吸入されるため、光源４周辺の空気をほぼ均一に吸引することが可能になる。
また光源４には害虫が好む波長の誘引光を発生する蛍光灯のような特殊電球を使用しているため、屋内に設置された照明器具に誘引されて屋内へ侵入した害虫が、光源４へ誘引されて光源４付近に達すると、開口部１ｃ，１ｄよりに吸入された空気とともに筐体１内へ吸入される。
【００２９】
一方吸引手段７の下方に設置されたシャッタ手段１０は、今までバランサ１０ｅの作用で閉鎖されていたシャッタ板１０ｂに、吸引手段７により送風される空気の風圧を受けると、シャッタ板１０ｂが回転軸１０ｃを中心にほぼ９０度回動して開放されるため、吸引手段７により空気とともに吸引された害虫は、筒状ケース１０ａ内を通って捕虫袋１１内へと排出される。
捕虫袋１１は、通気性を有する素材により形成されているため、空気とともに流入した害虫のみが捕虫袋１１に捕獲され、捕虫袋１１を通過した空気は、底板１ｑの両端側に設けられた下部ガイド面１ｒの傾斜により２路に分流されて、図４及び図５の矢印Ｂに示すように筐体１の上方向へ方向変換される。
その後ホッパ６の傾斜面６ａが形成する中間ガイド面１ｐにより空気循環経路の断面積が除々減少するため、空気流は流速を増しながら図５の矢印Ｃに示すように側部通路１ｎ内へ下方から流入される。
【００３０】
側部通路１ｎ内に下方から流入された空気は、さらに流速を増しながら上部ガイド面１ｅに達し、上部ガイド面１ｅにより上部通路１ｇの両端側より上部通路１ｇ内へ方向変換される。
上部通路１ｇ内に流入され空気のほとんどは、上部通路１ｇの中間部に設けられた第１邪魔板１ｇに達して、図５の矢印Ｄに示すように下方向へ方向変換され、光源取り付け部材２の上面に開口された空気流入口２ａより光源４の周辺へと流入されるが、一部は光源取り付け部材２の両端側に設けられた第２邪魔板１ｉにより矢印Ｅ方向へ方向変換され、前後面板１ｂ，１ｃと光源取り付け部材２の両側面間の隙間１ｊから光源４の周辺へと流入される。
【００３１】
これによって中間ガイド面１ｐにより増速された空気が空気循環経路を循環されて、空気に脈動を生じることがないため、空気の循環が円滑に行える上、上部通路１ｇからほぼ均一に光源４の周辺へ空気が流入されて、光源４の周辺で空気流のムラが発生することがないため、開口部１ｃ，１ｄより吸入される外気と干渉することなく再びホッパ６を経て吸引手段７に吸入される。
また吸引手段７の運転中は、矢印Ｂ、矢印Ｃ、矢印Ｄ、矢印Ｅ方向の空気循環経路が常時形成される上、捕虫袋１１を通過した空気は、筐体１の内部両側に設けられた２路の側部通路１ｎに分流されて筐体１の上部へ循環されるため、送風能力の小さい送風手段７でも、空気の循環が効率よく行えるようになり、より少ない消費電力で害虫捕獲器の連続運転が可能となるため、ランニングコストの低減が図れるようになる。
【００３２】
一方長時間運転している間に捕獲袋１内に害虫がある程度溜まったら、捕虫袋１１に獲された害虫を捕虫袋１１ごと廃棄処理するが、廃棄処理に当っては、電源スイッチにより光源４及び吸引手段７をオフにすると、吸引手段７による送風が停止されて、今まで風圧により開放位置にあったシャッタ板１０ｂがバランサ１０ｅの作用で水平位置へ回動されて、筒状ケース１０ａの上面開口がシャッタ板１０ｂにより閉鎖される。
これによって捕虫袋１１に捕獲された害虫の一部が生存していても、オフによって吸引を停止した吸引手段７側へ害虫が逃げ出すのをシャッタ板１０ｂが阻止するため、捕虫袋１１内に捕獲した害虫うち生存している害虫が捕虫袋１１より逃げ出すのを確実に防止することができる。
【００３３】
光源４が消灯し、吸引手段７が完全に停止したら、筐体１前面の扉１５を開放して、捕虫袋１１の開口部１１ａを手で絞りながら筒状ケース１０ａの下部より捕虫袋１１を取り外し、係止手段１２により捕虫袋１１の開口部１１ａを閉じた状態で廃棄することにより、捕獲した害虫を逃がすことなく捕虫袋１１ごと廃棄処理することができる。
また新らしい捕虫袋１１を筒状ケース１０ａの下部に取り付けたら、扉１５を閉鎖して再び害虫捕獲器の運転を開始することにより、引き続き害虫を捕獲することができるようになる。
【図面の簡単な説明】
【００３４】
【図１】本考案の実施の形態になる害虫捕獲器の正面側の斜視図である。
【図２】本考案の実施の形態になる害虫捕獲器の正面側の一部切欠斜視図である。
【図３】図２のＡ−Ａ線に沿う断面図である。
【図４】本考案の実施の形態になる害虫捕獲器の空気の循環経路を示す説明図である。
【図５】本考案の実施の形態になる害虫捕獲器の空気の循環経路を示す説明図である。
【符号の説明】
【００３５】
１    筐体
１ｃ    開口部
１ｄ    開口部
１ｅ    上部ガイド面
１ｇ    上部通路
１ｈ    第１邪魔板
１ｉ    第２邪魔板
１ｊ    隙間
１ｎ    側部通路
１ｒ    下部ガイド面
１ｐ    中間ガイド面
４    光源
６    ホッパ
７    吸引手段
１０    シャッタ手段
１０ａ    筒状ケース
１０ｂ    シャッタ板
１１    捕虫袋
１５    蓋体
【図１】
0003141997.tif 000003
【図２】
0003141997.tif 000004
【図３】
0003141997.tif 000005
【図４】
0003141997.tif 000006
【図５】
0003141997.tif 000007